(57)【要約】【課題】部屋内に入るアリや犬猫の餌に群がるアリを無毒の餌で誘引し、水に沈めて短時間で確実に退治し、アリの巣まで全滅させる器具と方法の提供が目的である。【解決手段】アリの習性を活用し蜂蜜など無毒の餌で巣の中のアリまで行列で餌場に集め、集めたアリを次々に受け皿に落として退治する方法で、アリを餌場に集める餌羽部、集めたアリを受け皿に落とす操作部、そのアリを水に沈める受け皿部からなるアリ退治器を製作する。【選択図】    図３
2005021069.tif 000002
【特許請求の範囲】
【請求項１】
餌羽部と、操作部と、受け皿部とからなる手動のアリ退治器。
【請求項２】
餌羽部と、操作部と、受け皿部とからなる自動のアリ退治器。
【請求項３】
無毒の餌を使用して巣の中のアリを行列で誘引する方法。
【請求項４】
受け皿の水に洗剤を加え一気にアリを水底まで沈める方法。
【発明の詳細な説明】
【０００１】
【発明の属する技術分野】
本発明は蜂蜜など無毒の餌を使用して部屋に入るアリや犬猫の餌場、軒下等に群がるアリをその場で巣の中のアリまで誘引し、集めたアリを水に沈めて退治する方法と餌羽部、操作部、受け皿部の３部からなるアリ退治器の製作に関する。
【０００２】
【従来の技術】
アリは一度餌に群がれば以後毎日のように出没する。その対処法として現在、アリに毒餌を食べさせて退治することを目的としたアリの毒餌剤特願平６−３１５１９２（以下、特許文献１という）、アリ類の毒餌剤特願平１０−１６５４３４（以下、特許文献２という）、害虫駆除用毒餌剤特願平１１−２８５２４０（以下、特許文献３という）等があり、部屋等に群がっているアリを退治する殺虫剤としてエアゾールがある。エアゾールの効力増強方法特願平１０−１５１４４１（以下、特許文献４という）等も開発され強力な殺虫能力がある。他に煙で駆除する特開平１０−０８７４０９（以下、特許文献５という）ヒョウダニ類の忌避駆除剤、大掛かりにはシロアリ駆除剤等を大量に投与する家庭もある。アリ退治の器具では家庭用気体混合器特開平１１−０９９２９８（以下、特許文献６という）や家庭用乾燥機特開平１１−０８３３１３（以下、特許文献７という）等があるが共に同発明者で対象物を密閉室に入れ薬剤を気化させて吹き付ける器具である。アリ駆除容器特開２００２−１９１２７８（以下、特許文献８という）は箱中央部に捕獲部を持ち、そこに誘引剤混入の毒餌を置いて巣の近くで捕獲する毒餌使用の器具である。
【０００３】
【特許文献１】
特願平６−３１５１９２
【特許文献２】
特願平１０−１６５４３４
【特許文献３】
特願平１１−２８５２４０
【特許文献４】
特願平１０−１５１４４１
【特許文献５】
特開平１０−０８７４０９
【特許文献６】
特開平１１−０９９２９８
【特許文献７】
特開平１１−０８３３１３
【特許文献８】
特開２００２−１９１２７８
【０００４】
【発明が解決しようとする課題】
アリは強力な臭覚と天性で毒餌は食べないので毒餌での退治法には問題がある。エアゾールやダニ駆除剤では巣の中のアリを退治するのは困難である。シロアリ駆除剤等の大量投与は健康上環境上に問題がある。アリ駆除容器はアリの巣を探すのに困難があることと毒餌使用に問題がある。
これらの課題解決をめざして、本発明は室内や軒下、犬猫の餌等に群がるアリを、その場に餌場を設置し蜂蜜や砂糖など無毒の餌で巣の中のアリまで誘引し、餌場に集めたアリを水に沈めて退治する方法とその器具を提供することを目的とする。
【０００５】
【課題を解決するための手段】
アリは蜂蜜など無毒の餌を与えれば吸い付けられるように食み付き２〜３０分は身動きもせず食べ続ける。また、無毒の餌を見つけたアリは巣に帰り仲間に伝達し行列で仲間を引き連れてくる。餌場が満杯になれば行列はよどむ、次々に餌場を空けてやれば巣の中が空になるまで行列は続く。このようなアリの習性を活用して、アリ退治法を手段にしたアリ退治器を製作することにより発明を完成し、上記課題を解決した。すなわち、
【０００６】
アリが出没する場所に餌場を設置し、蜂蜜など無毒の餌を使って巣の中のアリを行列で餌場に集める。
餌場に押し掛けるアリの行列がよどまないように集まったアリを次々に受け皿に振り落として餌場を空け、巣の中が空になるまで行列を継続させる。
受け皿には水を溜め、少量の洗剤を加えて表面張力を消し、落ちたアリが一気に水底まで沈むようにする。
【０００７】
本発明の手動のアリ退治器は、餌羽部と、操作部と、受け皿部とからなる。
本発明の自動のアリ退治器は、餌羽部と、操作部と、受け皿部とからなる。
本発明は、無毒の餌を使用して巣の中のアリを行列で誘引する方法である。
本発明は、受け皿の水に洗剤を加え一気にアリを水底まで沈める方法である。
【０００８】
【発明の実施の形態】
器具の製作に当たっては、アリを餌場に集める役目の餌羽部、集めたアリを受け皿に振り落とす働きをする操作部、振り落とされたアリを受け止め水に沈めて退治する受け皿部の３部で構成し、無毒の餌でアリを誘引し水に沈めて退治するアリ退治器を製作する。
【０００９】
器具の実施例に図１と図３の２種類を提示したが共に餌羽部、操作部、受け皿部の３部で構成した。図１は操作部にピストンを使用し指でピストンを押して餌羽を動かす手動操作の器具であり、図３は操作部にモーターとタイマーを使用して餌羽を自動で操作する自動操作の器具であって共に本発明の技術分野では同じである。
【００１０】
【実施例】
以下、本発明の実施の形態を実施例により図面を用いて説明する。
〔実施例１〕
図１は、▲１▼餌羽部、▲２▼操作部、▲３▼受け皿部からなる手動アリ退治器の見取り図であり、図２は構造を説明した断面図である。
▲１▼  餌羽部は、羽軸１１、紐１２、餌羽１３、餌場１４、紐固定穴１５からなり、餌場１４にアリを集める働きをする部分である。餌羽１３はシリンダー２２を挟んで両脇の羽軸１１から受け皿３２を越えて両平地面に羽先が着地するようにしたものであり、その羽先の接地部分を餌場１４にした。平地面上の餌場１４に無毒の餌を塗ってアリを集め、餌場が満杯になればピストンを押してアリを受け皿に落とし、餌場を空ける。
▲２▼  操作部は、ピストン２１、シリンダー２２、支え穴２３からなり、餌場１４で集めたアリを受け皿３２に落とす働きをする部分である。シリンダー２２は受け皿中央の取付台３１に直立して設置し、下部４ｃｍの位置に支え穴２３を開けたものである。その中にピストン２１を入れピストン先と支え穴２３を介して餌羽１３を紐で固定し、ピストンを動かすことで餌羽を操作するようにした。
【００１１】
ピストン２１を押せば支え穴２３からシリンダー２２内に紐を引き込み、羽軸１１を起点に羽先が持ち上がり逆立ち状態でシリンダーに当たる。ピストンを上下に動かし羽先をシリンダーにパタパタ当てることで餌場１４のアリを受け皿３２に振り落とすようにした。紐をシリンダー内に引き込んだ時ピストンとシリンダー間に紐が挟まらないようにピストン先を削りこんだ。
【００１２】
▲３▼  受け皿部は、取付台３１、受け皿３２、水溜め３３、シリンダー固定板３４、シリンダー固定穴３５からなる水溜めを備えた容器であり、餌場１４から振り落とされるアリを受け止め水に沈めて退治する働きをする部分である。アリが受け皿３２の中心部に振り落とされるように皿の中央部に取付台３１を接着し、シリンダー２２を丈夫に取り付けるためのシリンダー固定板３４に穴を開けシリンダーの先端を差し込んで固定した。また、受け皿には水を浅く溜め洗剤を少し加えて水の表面張力を消し、アリが一気に水底まで沈むようにした。
【００１３】
この器具は、受け皿３２の中央に取付台３１を接着し、その台にピストン２１を直立させ、シリンダー２２の下部を挟んで両羽軸１１を取り付け、その羽軸を起点に受け皿３２を越えて外に着地する餌羽１３を付け、ピストンを押せば紐を介して餌羽が持ち上がるようにしたもので、餌羽部の餌場１４で集めたアリを操作部のピストン２１を押すことで受け皿３２の上まで餌場１４を持ち上げてシリンダー２２に当て、餌場で集めたアリを受け皿に振り落とし水溜め３３に沈めて退治するアリ退治器である。
【００１４】
〔実施例２〕
図３は、１０１餌羽部、１０２操作部（自動化）、１０３受け皿部からなる自動アリ退治器の見取り図で一部を断面した図であり、図４は餌羽部の説明図である。
【００１５】
１０１  餌羽部は、軸穴１１１、羽止め穴１１２、羽止め１１３、羽支え１１４、餌羽１１５、餌場１１６からなり、餌場１１６にアリを集める働きをする部分である。軸穴１１１、羽止め穴１１２、羽止め１１３、羽支え１１４、餌羽１１５、餌場１１６からなり、図４はその構造図である。羽止め１１３は縦横１．５ｃｍ、高さ２ｃｍの柱状にし、縦方向の中心にモーター軸受穴１１１を開けモーター軸に取り付けた。四側面には上方より５ｍｍの位置に餌羽１１５を取り付けた。各羽とも上下には自在に動くようにし、回転時には横揺れをしないように二箇所ずつ羽止め穴１１２を開け羽止め１１３に紐で固定した。そして羽が上がるとき紐固定部分から上が突っ張りにならないように、その部分を折り曲げ自在に上下に動くようにした。
【００１６】
また、羽先を餌場１１６にするため先端から２ｃｍの位置を折り曲げ水平に近い状態で底面に羽先だけを接地させた。完全に水平にして全面を接地させれば回転始めに底面との摩擦が大きすぎる。羽支え１１４は、羽止め１１３の下部に少し大きめの板を接着し、羽先が常に少し開いた状態にして操作箱１２５を受け皿１３１に載せるとき羽先が接地板に引っ掛からないようにした。餌場１１６には餌を塗り易くすると共に回転で餌が飛ばないように布テープを張り、その上に餌を塗ってアリを集めるようにした。
【００１７】
１０２  操作部は、電池１２１、手動スイッチ１２２、自動スイッチ１２３、タイマー１２４、モーター１２６、ブラシ１２７を操作箱１２５に配列したものからなり、餌場１１６で集めたアリを受け皿１３１に落とす働きをする部分である。手動スイッチ１２２は電池からモーターへの直接回路のものでスイッチを押せば即モーター１２６が回転し、それに接続した餌羽１１５が回転して接地面から浮き上がり羽止め１１３の水平位置で回転を速め、アリを受け皿１３１に振り落とす。自動スイッチ１２３は電池１２１からタイマー１２４を経由してモーター１２６へ接続した自動化用回路のスイッチでＯＮにすればタイマーの指示通り１５分に１０秒間ずつ自動的にモーターが回転して餌羽を回転させ受け皿にアリを振り落とす。
【００１８】
餌羽１１５の回転で平地面の餌場１１６で集めたアリを受け皿１３１の上まで持ち上げ水溜め１３５に振り落とすようにした。ブラシ１２７は羽の回転が速くなり羽先が水平位置近くまで上がった時、ブラシの先が餌場の位置に触れるようにし餌場にしがみ付いているアリをこそぎ落とす役目をすると共に高速回転で餌が飛ばされないように羽の回転にブレーキを掛ける役目を兼ねさせた。
【００１９】
１０３  受け皿部は、受け皿１３１、水止め１３２、アリの入り口１３３、接地板１３４、水溜め１３５、空かし板１３６からなる水溜めを備えた容器であり、餌場１１６から振り落とされるアリを受け止め水に沈めて退治する働きをする部分である。容器底の中心部を丸く切抜き、その外部分に丸く水止め１３２を作り防水処理をして水を溜めるようにした（プラスチックなら簡単）。その容器の下面四つ角に高さ５ｍｍの空かし板１３６をはさんで接地板１３４（薄いトタン板）を貼り付け、平地面に薄い小さなトタン板を置いた状態にし、アリがその上を抵抗なく歩き回るようにした。接地板（平地面）から５ｍｍ上は中央に丸い空洞のある水溜め１３５を持つ受け皿１３１にした。水溜め１３５は内側の丸い水止め１３２部分を１．５ｃｍで低くし、外回りは６ｃｍで高くし、その上に操作箱１２５を載せるようにした。
【００２０】
この器具は餌羽部の餌場１１６で集めたアリを操作部のモーター１２６を回転させることで受け皿１３１の上まで餌場１１６ごと持ち上げモーター回転の遠心力でアリを振り落とし水溜め１３５に沈めて退治する器具で、受け皿１３１の上に操作箱１２５を載せタイマー１２４を組み込み、その指示でモーターを回転させるようにしたものであり操作箱１２５と受け皿１３１を分けたのは餌を塗る時やアリ退治後の掃除等を容易にするためである。
【００２１】
受け皿１３１の上に載せた操作箱１２５から伸びる餌羽１１５は丸い空洞を突き抜け接地板１３４に着地し、その羽先の餌場１１６でアリを集めモーター回転で餌場ごと水溜め１３５の上まで持ち上げ、回転する遠心力で水溜めの中にアリを振り落とす。羽の高速回転でアリは真横に飛ばされ横壁に当たって水溜めに落ちるものが多い。一番底に付けた接地板１３４は器具をいろいろな場所に設置する時どんな悪条件の凸凹地面でも餌羽１１５を接地板上でスムーズに回転させるためである。
【００２２】
〔実施例３〕
手動のアリ退治器で図１の餌場１４に砂糖液を塗り、受け皿３２に約５ｍｍの水を溜め洗剤を数滴落として居間で退治したちょろちょろアリの事例
このアリの体長は約２．１ｍｍで歩き方が速く行動範囲の広いアリである。下表のように時間経過と退治数を記録しながら２日で全滅させた。実験開始直後は１分間に１００匹近い数でアリが集まって来たので数えにくい時もあったが、拡大レンズを使って数え、数を記録しては水溜め３３に沈めたので誤差は少ないと思っている。
【００２３】
１日目（１４・８・３０）              ２日目（８・３１）
９：２５  実験開始                    （同じ場所で残りのアリを退治）
（開始後１０分で行列）                  ８：００  実験開始
〜１０：３０    ３８５０匹退治        〜  ９：００    ２１３０匹退治
〜１１：３０    ２６３０匹            〜１０：００      ９４０匹
〜１２：３０    １７４０匹            〜１１：００      ６１２匹
〜１３：３０    １４６０匹            〜１２：００      ３８０匹
〜１４：３０      ９３０匹            〜１３：００        ２５匹
〜１５：３０      ８７０匹            〜１４：００          ０匹
６時間で実験中止                        約４時間でアリが出てこなくなった
（１日目の合計  １１４８０匹）            （２日目の合計  ４０８７匹）
【００２４】
このように同じアリの巣を２日に分けて退治し、全滅させた。退治時間は合計で約１０時間、退治数は合計１５５６７匹で大きなアリの巣であった。巣の中には卵・幼虫・さなぎが残っていると思う。でも親アリを全滅させたので幼虫には餌が運べず幼虫と卵は死ぬと思われる。さなぎが羽化した後もう一回退治すればこの巣は壊滅する。
【００２５】
〔実施例４〕
同上の器具を使い台所で退治した《さとうアリ》
このアリは体長約２ｍｍで歩き方はのろく行動範囲も狭い。これも２日に分けて下表のように退治した。
【００２６】
１日目（１４・９・１）                  ２日目（９・２）
１９：００  実験開始                  （同じ場所で残りのアリを退治）
（開始後３分で行列）                    ２０：００  実験開始
〜２０：００      ２１５０匹退治        〜２１：００      ５６５匹退治
〜２１：００      １６１０匹            〜２２：００      １２４匹
（２時間で中止）                        １時間半後からは→    ０匹
（１日目の合計３７６０匹退治）          （２日目の合計６８９匹）
【００２７】
２日に分けて全滅させた。２日分の合計退治数は４４４９匹で退治時間は約３時間半であった。親の全滅で幼虫や卵は死ぬと思う。さなぎの羽化を待って、もう一度退治すれば巣ごと壊滅する。
【００２８】
上記の表でも分かるように４〜５千匹程度のアリの巣では最初の１時間に巣全体の約半分のアリが餌場に集まり後は勢いが弱まる。１万５千匹を越える大きなアリの巣では行列の勢いが強く２時間で巣全体の半分程度が集まり後は勢いが弱まる。また、アリは餌を与えれば昼でも夜でも行列で押しかけ、えさを退ければ行列は消えるので手動アリ退治器で効率よく退治するには夕食準備時間等に器具を設置し、１時間程度で中止し、数回に分けて退治するのが効率的である。４〜５０００匹程度のアリの巣は２〜３回退治すれば全滅できる。
【００２９】
〔実施例５〕
自動アリ退治器を使用し蜂蜜を餌にして軒下で退治した数種類のアリ、
自動イッチ１２３をＯＮにすれば１５分置きに１０秒間餌羽１１５が回転して餌場１１６のアリを受け皿１３１に振り落とし水溜め１３５に沈めて退治する。
【００３０】
（１５・６・５）
１７：００――実験開始
器具を設置して数分後小さなアリや大きなアリが数匹餌場１１６に集まって餌場争いをしていたので自動スイッチを入れずにそのまま置いた。
１８：００
黒い小さなちょろちょろアリが勝って餌場を独占し行列を作っていたので、まず手動スイッチ１２２を押して餌場１１６のアリを受け皿１３１に落として餌場を空けてから自動スイッチ１２３をＯＮにした。
２１：００
先ほどのアリが５０００匹以上と思われる数で水底に沈み底一面まっ黒になっていた。このアリは全滅したらしく餌場には少し大きめの３ｍｍぐらいの赤アリが数匹集まっていた。
２３：００
水底は黒アリの上に赤アリが積み重なり赤色に変わり餌場１１６への行列は延々と続いていた。この時点で赤アリは４〜５０００匹は沈んでいると思った。餌が少なくなっていたので餌の補給をして床に就いた。
翌朝５：００
夜の間に赤アリは全滅し、赤アリに変わって５ｍｍぐらいの普通の黒アリが餌場１１６に群がり行列で押しかけていた。水底には、その黒アリが積み重なって赤から黒に変わっていた。餌が少なくなったので補給した。
８：００
水底はその黒アリの死骸で真っ黒に埋め尽くされ餌場には一匹もいなくなり、代わりに２ｍｍ足らずの小さな黒アリが群がっていた。ここで実験は中止した。
【００３１】
このように軒下等には、いろいろな種類のアリが餌を探し回っている。同じ餌をめがけて異種のアリが争いを始めるが協力体制の強いアリが勝って餌を独占する。この実験で分かるように、餌を独占したアリが壊滅すれば次のアリが独占し、それが壊滅すれば又次のアリが独占する。この約１４時間の実験で３種類のアリ、１５０００匹以上を退治した。
【００３２】
【発明の効果】
部屋内に入るアリは壁の透き間や軒下等に巣を作る。大多数が３〜５０００匹の小さな巣なので３〜４時間で巣の中のアリまで全滅できる。
【００３３】
蜂蜜など無毒の餌でアリを集め水に沈める方法で退治するので、台所や子供部屋、犬猫のえさ場でも安心して使用できる環境に優しいアリ退治器である。
【００３４】
この器具では水底に沈むアリの数が次々に増えるので確実に退治されていく様子が分かり、最後には餌場に全く出てこなくなるので一目で壊滅状態が分かる。
【００３５】
この器具があれば、いつでも確実に退治できるという安心感が持てる。自動のアリ退治器を使えば手間を掛ける必要もない。
【図面の簡単な説明】
【図１】手動アリ退治器の全体が分かるようにした見取り図である。
【図２】その構造が分かるようにした断面図である。
【図３】自動アリ退治器の全体が分かるようにした一部断面の見取り図である。
【図４】その餌羽部の構造が分かるようにした見取り図である。
【符号の説明】
▲１▼  餌羽部（手動）
１１  羽軸
１２  紐
１３  餌羽
１４  餌場
１５  紐固定穴
▲２▼  操作部（手動）
２１  ピストン
２２  シリンダー
２３  支え穴
▲３▼  受け皿部（手動）
３１  取付台
３２  受け皿
３３  水溜め
３４  シリンダー固定板
３５  シリンダー固定穴
１０１  餌羽部（自動化）
１１１  軸受穴
１１２  羽止め穴
１１３  羽止め
１１４  羽支え
１１５  餌羽
１１６  餌場
１０２  操作部（自動化）
１２１  電池
１２２  手動スイッチ
１２３  自動スイッチ
１２４  タイマー
１２５  操作箱
１２６  モーター
１２７  ブラシ
１０３  受け皿部（自動化）
１３１  受け皿
１３２  水止め
１３３  アリの入り口
１３４  接地板
１３５  水溜め
１３６  空かし板
【図１】
2005021069.tif 000003
【図２】
2005021069.tif 000004
【図３】
2005021069.tif 000005
【図４】
2005021069.tif 000006